(57)【特許請求の範囲】
【請求項１】
測定対象物に浸漬させて測定対象物の電気的特性を測定する、電気伝導度を用いた測定装置において、
表面には表示部が配置され、内部には、測定装置の動作を制御する制御モジュールが装着される本体部と、
前記本体部の一方の側に備えられて前記制御モジュールの制御により駆動され、測定対象物の電気的特性を測定する電極として少なくとも第１センサ電極及び第２センサ電極を含み、また、前記第１センサ電極との距離、及び前記第２センサ電極との距離が互いに同一となるように配置される基準電極をさらに有し、測定対象物に浸漬されて電気的特性を測定するセンサ部とを備え、
一つの基準電極が使用され、
前記第１センサ電極、前記第２センサ電極、及び前記一つの基準電極は、前記一つの基準電極と前記第１センサ電極との間の抵抗値が、前記一つの基準電極と前記第２センサ電極との間の抵抗値と実質的に同じになるように配置され、
前記制御モジュールは、
前記一つの基準電極と前記第１センサ電極との間の前記抵抗値の測定値と、前記一つの基準電極と前記第２センサ電極との間の前記抵抗値の測定値との間の相互の差が、許容された基準値以内に含まれる場合、前記測定対象物の測定がなされるように前記センサ部を制御し、前記相互の差が、許容された基準値を超える場合、前記各センサ電極についての洗浄の情報を、前記表示部を通じて表示するように、前記表示部を制御することを特徴とする電極汚染報知機能を有する電気伝導度を用いた測定装置。
【請求項２】
前記制御モジュールは、
前記基準電極に対する前記第１センサ電極の前記抵抗値の前記測定値及び前記第２センサ電極の前記抵抗値の前記測定値が、相異なるか、または予め設定された基準値を超えることが連続的に繰り返される場合、センサ電極の交換の情報を、前記表示部を通じて表示するように構成されることを特徴とする請求項１に記載の電極汚染報知機能を有する電気伝導度を用いた測定装置。
【請求項３】
前記制御モジュールは、
前記基準電極を基準にして測定される、前記第１センサ電極の前記抵抗値、及び前記第２センサ電極の前記抵抗値についての平均値に基づいて測定がなされるように構成されることを特徴とする請求項１に記載の電極汚染報知機能を有する電気伝導度を用いた測定装置。
【請求項４】
前記制御モジュールは、
前記第１センサ電極及び前記第２センサ電極の前記抵抗値を測定し、これに基づいて測定がなされるように構成されることを特徴とする請求項１に記載の電極汚染報知機能を有する電気伝導度を用いた測定装置。
【発明の詳細な説明】
【技術分野】
【０００１】
本発明は、電気伝導度を用いた測定装置に関し、さらに詳細には、測定対象物に浸漬させ、電気伝導度を用いて塩分濃度、ＴＤＳ（Ｔｏｔａｌ  Ｄｉｓｓｏｌｖｅｄ  Ｓｏｌｉｄｓ；総溶解固形分）などの特性を測定するにあたり、測定対象物による電極の汚染の有無について感知し、ユーザに知らせて洗浄するようにすることにより、測定値の正確度を向上させることができる、電極汚染報知機能を有する測定装置に関する。
【背景技術】
【０００２】
最近では、水資源の管理と利用の重要性に対する認識が順次向上するにつれて、水資源の汚染防止と効率的な利用のための多様な管理システムが開発及び適用されており、このような水資源は、産業現場だけでなく、家庭での飲料水または生活用水など、多様な用途に利用されることができるように管理される。
【０００３】
特に、最近になってウェルビーイング（well-being）と健康に対する一般人の関心が増加すると共に、塩辛い食物が高血圧発生の主な要因の一つとして明らかになるに伴い、食物に含まれた塩分を測定する塩分濃度計に対する関心が増加している。一般に、塩分濃度計は、食物に溶けている塩化ナトリウム（ＮａＣｌ）のイオン濃度に応じて電気伝導度が変化する性質を利用したものであり、一対の電極を測定水と接触するようにした後に、電圧を印加して、通電される電流の量を測定することによって、該当測定水の塩度を求めるようになる。
【０００４】
このように測定対象物の特性を測定するために、家庭用、産業用として多様に使用できる携帯用測定装置が広く普及している。携帯用測定装置は、対象物の電気伝導度を用いて各種の特性を測定するのであり、電気伝導度（ＥＣ：Ｅｌｅｃｔｒｉｃ  Ｃｏｎｄｕｃｔｉｖｉｔｙ）以外にも、その用途により、塩度、ＴＤＳ（Ｔｏｔａｌ  Ｄｉｓｓｏｌｖｅｄ  Ｓｏｌｉｄｓ；総溶解固形分）などの特性を精密に測定できる。
【０００５】
図１は、従来の技術にかかる携帯用塩分濃度計を示した斜視図で、図２は、図１の主要部であるセンサ部を示した正面図である。
【０００６】
まず、図１に示すように、携帯用塩分濃度計は、所定の長さを有するバー状の本体１１と、本体１１の一方の端部に設けられるセンサ部１４とから構成される。本体１１には、測定結果を含む各種情報を表示するためのディスプレイパネル１２と、測定装置を操作するための操作部１３が備えられ、センサ部１４は、測定対象物に浸漬されて塩度を測定するための一対の塩度センサ電極１５と、測定対象物の温度を測定するための温度センサ電極１６とが備えられる。
【０００７】
図２に示すように、塩度センサ電極１５は、所定の間隔に離隔されており、センサ部１４が測定水に十分に浸漬された状態で、両センサ電極１４に電圧を印加して、測定される抵抗値に応じて塩分を測定するようになる。このとき、測定される塩分は、温度センサ電極１６によって測定される測定水の温度を、常温状態に補正した状態での塩度値として表示される。
【０００８】
前記のような従来の技術にかかる塩分濃度計は、一対の塩度センサ電極の間で測定される電気的特性、すなわち抵抗値を利用して塩度を自動的に測定することによって、測定水の塩度を簡単でかつ迅速に測定できる長所を示す。しかしながら、このように一対のセンサ電極間の電気的特性を利用して塩度を測定する方式の塩分濃度計は、一対の塩度センサ電極に異質物が付着した場合、両センサ電極間の電気的特性が大きく変化して、それに応じて測定される塩分も大きな誤差を有するようになるという問題点がある。
【０００９】
一般に、塩分濃度計は、センサ電極の清潔を維持した状態で測定がなされなければならないので、電極を毎度洗浄しなければならないという面倒さがある。特に、汁物またはチゲなどのように食物を測定対象物にする場合、食物に含まれた物質がセンサ電極に容易に付着し得るのであり、微細な異質物は、視覚的に認識されない場合が多く、このような異質物によるセンサ電極の汚染により、塩度測定のエラーが頻繁に発生しているのが現状である。このような測定のエラーは、長期間の使用に伴うセンサ電極の老朽化（電極の表面が酸化されてサビが発生する場合など）により、電気的特性が変更される場合にも発生される。
【００１０】
そのため、従来の技術にかかる塩分濃度計は、このようなセンサ電極の汚染などによる電気的特性の変化に応じて、周期的に標準溶液を利用してセンサ電極を較正しているのであり、このためのセンサ較正装置も特許文献１に提示されている。
【先行技術文献】
【特許文献】
【００１１】
【特許文献１】韓国登録特許１０−１５１９３５６号（２０１５．０５．０６登録）、センサの較正装置
【発明の概要】
【発明が解決しようとする課題】
【００１２】
本発明は、上記の問題を解決するために提案されたものであって、センサ電極に、異質物の付着などによる汚染が発生しているかどうかを確認し、汚染が発生した場合に、ユーザに知らせて洗浄がなされるようにすることによって、便利に使用でき、測定値の正確度を向上させることができる、電極汚染報知機能を有する電気伝導度を用いた測定装置を提供することを目的とする。
【課題を解決するための手段】
【００１３】
上記の目的を達成すべく、本発明は、測定対象物に浸漬させて測定対象物の電気的特性を測定する、電気伝導度を用いた測定装置において、(1)表面には表示部が配置され、内部には、測定装置の動作を制御する制御モジュールが装着される本体部と、(2)前記本体部の一方の側に備えられて前記制御モジュールの制御により駆動され、測定対象物の電気的特性を測定する電極として少なくとも第１センサ電極及び第２センサ電極を含み、また、前記第１センサ電極との距離、及び前記第２センサ電極との距離が互いに同一となるように配置される基準電極をさらに有し、測定対象物に浸漬されて電気的特性を測定するセンサ部とを備え、(3)前記制御モジュールは、前記基準電極を基準にして測定される、第１センサ電極との電気的特性、及び第２センサ電極との電気的特性の相互の差が、許容された基準値以内に含まれる場合、測定がなされるように前記センサ部を制御し、前記相互の差が、許容された基準値を超える場合、前記各センサ電極についての洗浄の情報を、前記表示部を通じて表示するように、前記表示部を制御することを特徴とする。
【００１４】
ここで、前記制御モジュールは、前記基準電極に対する第１センサ電極及び第２センサ電極の電気的特性が相異なるか、または予め設定された基準値を超えるということが連続的に繰り返される場合、センサ電極の交換の情報を、前記表示部を通して表示するよう構成されることを特徴とする。
【００１５】
また、前記制御モジュールは、前記基準電極を基準として測定される第１センサ電極との電気的特性、及び、第２センサ電極との電気的特性についての平均値に基づいて測定がなされるように構成されるか、または第１センサ電極と第２センサ電極との間の電気的特性を測定し、これに基づいて水質測定がなされるように構成されることを特徴とする。
【発明の効果】
【００１６】
本発明は、一対のセンサ電極の他に基準電極がさらに備えられ、基準電極と、一対をなす各センサ電極との間における電気的特性が互いに同一であるか、または基準値範囲内での差のみがある場合に測定がなされるようにすることによって、正確な値を測定できる。
【００１７】
また、本発明は、センサ電極が汚染または損傷された場合、これをユーザに知らせることによって、ユーザは、センサ電極の洗浄または交換の時期などを認知して適切な措置を取ることができるので、便利に使用できるという効果を示す。
【図面の簡単な説明】
【００１８】
【図１】従来の技術にかかる携帯用塩分濃度計を示した斜視図である。
【図２】図１の主要部であるセンサ部を示した正面図である。
【図３】本発明の実施の形態にかかる塩度測定装置を示した斜視図である。
【図４】図３の主要部であるセンサ部を示した正面図である。
【図５】本発明の実施の形態にかかる塩度測定装置の内部構成を示したブロック図である。
【図６】本発明の実施の形態にかかる塩度測定装置の塩度測定過程を示したフローチャートである。
【図７ａ】本発明の他の実施の形態にかかる塩度測定装置のセンサ部を概略的に示した概念図（１）である。
【図７ｂ】本発明の他の実施の形態にかかる塩度測定装置のセンサ部を概略的に示した概念図（２）である。
【図８ａ】本発明の他の実施の形態にかかる塩度測定装置を示した斜視図（１）である。
【図８ｂ】本発明の他の実施の形態にかかる塩度測定装置を示した斜視図（２）である。
【図９】本発明のさらに他の実施の形態にかかる塩度測定装置を示した斜視図である。
【発明を実施するための形態】
【００１９】
本発明と本発明の実施により達成される技術的課題は、以下で説明する好ましい実施の形態により明確になるはずである。以下、添付された図面を参照して、本発明の好ましい実施の形態を詳細に述べる。
【００２０】
図３は、本発明の一実施の形態にかかる塩度測定装置を示した斜視図で、図４は、図３の主要部であるセンサ部を示した正面図である。
【００２１】
図示のように、塩度測定装置は、ハウジング１００、及びハウジング１００の一方の端部に設けられるセンサ部２００からなり、ハウジング１００の内部には、センサ部２００の測定と表示部３００のディスプレイを制御する制御モジュール（図５の１００’を参照）が内蔵される。また、ハウジング１００の外周面には、各種情報を表示するための表示部３００と、ユーザの命令を受け取るための操作部４００とが備えられる。
【００２２】
ここで、ハウジング１００は、塩度測定装置の本体をなす構成であり、絶縁性の合成樹脂を利用した射出成形で製造できる。このようなハウジング１００は、ユーザが容易に把持できるように所定の長さでバー形状をなし、一側の表面には、表示部３００と操作部４００とが形成される。
【００２３】
センサ部２００は、ハウジング１００の一方の先端に設けられて測定水の塩度を測定する構成であり、測定水の抵抗を測定するための一対のセンサ電極（ｓｅｎｓｏｒ  ｅｌｅｃｔｒｏｄｅ）２１０と、測定水の温度を測定するための温度電極２３０とを具備する。特に、本発明の塩度測定装置は、一対の前記センサ電極２１０との抵抗を測定するための基準電極（ｒｅｆｅｒｅｎｃｅ  ｅｌｅｃｔｒｏｄｅ）２２０をさらに具備する。すなわち、図４に示すように、センサ部２００の先端部には、測定水の抵抗（すなわち、電気的特性）を測定するための電極として、一対のセンサ電極２１０−１、２１０−２と共に、基準電極２２０が外部に露出するように備えられ、各電極は、所定間隔で離隔されて配置される。このようなセンサ電極２１０と基準電極２２０とは、電気導電性に優れた金属材質の棒状の電極から構成される。
【００２４】
ここで、一対のセンサ電極２１０は、第１センサ電極２１０−１と第２センサ電極２１０−２とから構成され、測定水に浸漬された状態で、センサ電極２１０に印加される電圧でもって、第１センサ電極２１０−１と第２センサ電極２１０−２との間の抵抗を測定するようになる。
【００２５】
基準電極２２０は、各センサ電極２１０と離隔して配置され、第１センサ電極２１０−１または第２センサ電極２１０−２との抵抗を測定して、第１センサ電極２１０−１または第２センサ電極２１０−２の汚染の有無を確認する。基準電極２２０が第１センサ電極２１０−１及び第２センサ電極２１０−１のいずれとも、同じ間隔だけ離隔されており、第１センサ電極２１０−１と第２センサ電極２１０−２が汚染されない条件であると、基準電極２２０と第１センサ電極２１０−１との間に測定される抵抗と、基準電極２２０と第２センサ電極２１０−２との間に測定される抵抗とは、同じ値を有するようになる。しかしながら、いずれか一方のセンサ電極に異質物が付着した場合、基準電極２２０と、異質物が付着したセンサ電極との間の抵抗は、基準電極と、異質物が付着していないセンサ電極との間の抵抗より、大きな値として測定される。
【００２６】
したがって、本発明のセンサ部２００は、基準電極２２０と第１センサ電極２１０−１との間、及び、基準電極２２０と第２センサ電極２１０−２との間の抵抗値Ｒ１、Ｒ２が互いに同じであるか、または少なくともその差が、許容された基準値の範囲内に含まれるかどうかによって、あるセンサ電極の汚染の有無または汚染の程度が分かるようになるように構成される。また、基準電極２２０と第１センサ電極２１０−１との間、及び、基準電極２２０と第２センサ電極２１０−２との間の抵抗値が互いに同一であるか、またはその差が許容された基準値の範囲内に含まれる場合、あるセンサ電極も汚染されないか、または汚染されても測定結果に影響を及ぼさない程度であるから、塩度測定がなされるように構成される。反面、基準電極２２０と第１センサ電極２１０−１との間、及び、基準電極２２０と第２センサ電極２１０−２との間の抵抗値差が許容された基準値の範囲から外れる場合、いずれか一方または両方のセンサ電極が、測定結果に影響を及ぼす程度に汚染されたことであるから、塩度測定はなされないで、このことを、表示部３００を通じて知らせる。これによって、ユーザは、センサ部２００を洗浄して再度使用するようになる。
【００２７】
このとき、塩度の測定は、基準電極２２０との間で測定される第１センサ電極２１０−１及び第２センサ電極２１０−２までの抵抗値Ｒ１、Ｒ２についての平均値（Ｒ１＋Ｒ２／２）に基づいて塩度が算出されるようにするか、または第１センサ電極２１０−１と第２センサ電極２１０−２との間の抵抗値Ｒ１２を測定して、これに基づいて塩度が算出されるように構成することができる。このために、制御モジュールは、平均値算出モジュールを具備できる。基準電極２２０に対する第１センサ電極２１０−１及び第２センサ電極２１０−２の平均抵抗値（Ｒ１＋Ｒ２／２）に基づいて塩度を測定する場合、いずれかのセンサ電極に微細な汚染があっても、より正確な塩度を測定できるという長所があるのであり、第１センサ電極２１０−１と第２センサ電極２１０−２との間で測定される抵抗値Ｒ１２に基づいて塩度を測定する場合、基準電極２２０の汚染の有無に関わらず正確な塩度値を測定できるという長所がある。
【００２８】
また、本発明の塩度測定装置は、基準電極２２０との間で測定される、第１センサ電極２１０−１までの抵抗値と、第２センサ電極２１０−２までの抵抗値との差によって、センサ電極の交換時期を知らせることもできる。すなわち、基準電極２２０と第１センサ電極２１０−１との間の抵抗値、及び、基準電極２２０と第２センサ電極２１０−２との間の抵抗値が、互いに異なることから、洗浄情報を、表示部３００を通じて知らせるのであるが、ユーザが洗浄後に再度測定を試みても連続して繰り返し前記抵抗値が異なるように測定される場合には、酸化などによってセンサ電極自体が損傷されたことであるから、交換の情報を、表示部３００を通じて知らせることによって、ユーザがセンサ電極の交換時期について分かるようにする。
【００２９】
温度電極２３０は、測定水の実際の温度を測定するための電極であり、塩度は、測定水の温度に応じて異なるように測定されるので、所定温度の測定水で測定された塩度を常温（例えば２５℃）の状態の塩度に補正するために測定水の実際の温度を測定することが必要である。また、温度電極２３０は、センサ部２００が高温の測定水に浸漬された瞬間から、温度を所定時間単位のリアルタイムで測定することによって、温度変化量を利用してセンサ電極２１０が測定水と同じ温度の熱平衡状態に到達したかどうかを判断するデータとして活用するようになる。
【００３０】
表示部３００は、測定水に対する測定モード、温度、測定値、単位、電源などの多様な情報を表示する構成であり、ＬＣＤモジュールから構成されることができる。このような表示部３００は、ハウジング１００の一側にて表示パネルが外部に露出するようにハウジング１００に装着される。
【００３１】
操作部４００は、測定装置に対するユーザ操作のための構成であり、測定装置のオン／オフボタンなど、必要に応じた多様な機能の操作ボタンが備えられることができる。
【００３２】
前記のような構成の塩度測定装置は、ユーザが、本体を構成するハウジング１００を把持し、各電極が測定水に十分に浸るようにセンサ部２００を測定水に浸漬させた状態で、測定水に対する塩度測定がなされる。また、前記のような測定装置は、センサ電極の種類に応じて測定水に対する多様な特性を測定できるようになり、塩度の他にＥＣ（電気伝導度）、ＴＤＳ（総溶解固形分）などを測定する測定装置として構成されることができる。
【００３３】
図５は、本発明の実施の形態にかかる塩度測定装置の内部構成を示したブロック図であり、図６は、本発明の実施の形態にかかる塩度測定装置の塩度測定過程を示したフローチャートである。
【００３４】
まず、図５を参照すると、本発明の塩度測定装置は、ハウジング１００の内部に設置される制御モジュール１００’の制御によって測定が行われ、制御モジュール１００’は、メインＣＰＵ１１０、ＡＤコンバーター１２０、メモリ１３０及び電源部１４０を備えることができ、これらは、単一のマイコンＭＣＵ（microcontroller）の形態により具現化されることができる。センサ部２００の各電極で感知される電流または温度などのアナログ値は、ＡＤコンバーター１２０を介してＣＰＵ１１０に送信され、ＣＰＵ１１０では、送信された値に応じて算出される塩度値または警告信号を、ディスプレイパネル３１０または警告部３２０の表示部３００を介して、ユーザに提供する。このとき、ディスプレイパネル３１０は、測定水の塩度、温度などを含む多様な情報を表示し、警告部３２０は、センサ電極２１０の汚染の有無または交換の要否について表示する。ここで警告部３２０は、点滅するＬＥＤランプなどを利用してディスプレイパネル３１０と別に構成することができ、また、ディスプレイパネル３１０の内部に構成することもできる。
【００３５】
そして、図６を参照して、前記のような構成の塩度測定装置を利用した塩度測定過程を述べると、次のとおりである。測定装置のセンサ部２００が測定水に浸漬されると、測定が自動的に始まり（Ｓ１１）、温度電極２３０で測定される温度とその変化量に応じて、測定水と各電極２１０、２２０が熱平衡状態をなしているかどうか（すなわち、センサ電極の温度が測定水の温度に到達したかどうか）を確認する（Ｓ１２）。各電極と測定水が熱平衡状態をなす場合、まず、基準電極２２０と各センサ電極２１０との間の抵抗Ｒ１、Ｒ２が測定される。すなわち、基準電極２２０と第１センサ電極２１０−１との間の抵抗、及び、基準電極２２０と第２センサ電極２１０−２との間の抵抗Ｒ１、Ｒ２が測定され（Ｓ１３、Ｓ１３’）、測定された各抵抗Ｒ１、Ｒ２を比較する（Ｓ１４）。比較の結果、基準電極２２０に対する第１センサ電極２１０−１及び第２センサ電極２１０−２の抵抗が同一であるか、またはその差が基準値以下であると、測定水に対する塩度測定がなされる。このとき、測定水に対する塩度の測定は、基準電極２２０と、第１センサ電極２１０−１及び第２センサ電極２１０−２のそれぞれとの間の抵抗Ｒ１、Ｒ２についての平均値を算出し（Ｓ１６）、これに基づいて塩度を測定することで行うことができるのであり（Ｓ１７）、第１センサ電極２１０−１と第２センサ電極２１０−２との間で測定される抵抗値に基づいて塩度を測定することもできる。
【００３６】
そして、測定された塩度は、所定温度の測定水に対する塩度であるから、最終的にこれを室温（例えば２５℃）の状態の塩度値に補正して、その結果を、表示部３００を通して表示するようになる（Ｓ１８、Ｓ１９）。
【００３７】
一方、前記ステップＳ１２及びＳ１２’にて測定された、基準電極２２０との間の抵抗を、第１センサ電極２１０−１と第２センサ電極２１０−２との間で比較した結果、その差が基準値から外れる場合、少なくとも何れか一つのセンサ電極２１０は、異質物によって汚染されたことであるから、表示部３００を通して、洗浄などを要求する情報を、ユーザに提供し（Ｓ１５）、ユーザによってセンサ部２００の洗浄がなされた場合、再度同じ過程で測定を行うようにする。
【００３８】
また、センサ部２００の洗浄後にも基準電極２２０と第１センサ電極２１０−１との間の抵抗、及び、基準電極２２０と第２センサ電極２１０−２との間の抵抗を比較した結果、繰り返し、連続して異なるように現れる場合、少なくとも何れか一つのセンサ電極２１０が、酸化などによって損傷されたと見なすことができるから、表示部３００を介して、センサ電極の交換を要求する情報を提供するように構成されることもできる。
【００３９】
また、基準電極２２０と第１センサ電極２１０−１との間の抵抗、及び基準電極２２０と第２センサ電極２１０−２との間の抵抗を比較するにおいて、両抵抗値が完全に同一でなくても所定の基準値以下において差がある場合にも、センサ電極が汚染されない定常状態と判断して、第１センサ電極２１０−１と第２センサ電極２１０−２との間で抵抗を測定して塩度を算出するように構成されることもできる。
【００４０】
図７は、本発明の他の実施の形態にかかる塩度測定装置のセンサ部を概略的に示した概念図である。本発明の他の実施の形態にかかる塩度測定装置は、センサ部２００に一つの基準電極２２０と共に多数のセンサ電極２１０が備えられる。
【００４１】
まず、図７ａに示すセンサ部２００は、一つの基準電極２２０に対して３個のセンサ電極２１０−１、２１０−２、２１０−３が備えられ、基準電極２２０は、各センサ電極と同じ間隔をなすように配置され、３個のセンサ電極２１０−１、２１０−２、２１０−３も互いに同じ間隔に配置される。この場合、基準電極２２０から、第１センサ電極２１０−１、第２センサ電極２１０−２及び第３センサ電極２１０−３までの抵抗をそれぞれ測定した上で、同じ抵抗値を有するか、またはその差が基準値範囲内の小さいものである一対のセンサ電極間で測定された抵抗値に基づいて、測定水に対する塩度測定がなされるように構成される。一例として、基準電極２２０から第２センサ電極２１０−２及び第３センサ電極２１０−３までの間の抵抗値は、互いに同一であり、基準電極２２０と第１センサ電極２１０−１との間の抵抗値が大きく異なる場合、第１センサ電極２１０−１が汚染されたものであるから、基準電極２２０から第２センサ電極２１０−２及び第３センサ電極２１０−３までの間の抵抗値についての平均値、または第２センサ電極２１０−２と第３センサ電極２１０−３との間で測定される抵抗値に基づいて塩度を測定するようになる。
【００４２】
そして、図７ｂに示すように、一つの基準電極２２０に対して同じ間隔に配置された６個のセンサ電極２１０−１ないし２１０−６が備えられ、次のようにして塩度を測定するよう構成されることができる。すなわち、基準電極２２０との間で同じ抵抗値を有するか、その差が基準値範囲内の抵抗値を有する少なくとも二つ以上のセンサ電極にて測定される抵抗値についての平均値に基づいて、塩度を測定するよう構成されることができる。このように、基準電極２２０に対して、平均値を算出するためのセンサ電極が多いほど、正確な塩度を測定できるようになる。
【００４３】
このようにセンサ電極が少なくとも３個以上配置される場合、一部のセンサ電極が汚染されても汚染されない一対のセンサ電極において測定がなされるので、汚染されたセンサ電極に対する洗浄なしで直ちに測定がなされることができるという長所を有する。このとき、すべてのセンサ電極が基準電極に対して相異なる抵抗値を有する場合、洗浄情報または交換情報を表示してユーザに知らせるように構成されるはずである。
【００４４】
図８ａ、図８ｂ及び図９は、本発明の他の実施の形態にかかる塩度測定装置を示した斜視図である。本発明の他の実施の形態にかかる塩度測定装置は、センサ部の電極構造が異なる。
【００４５】
まず、図８ａ及び図８ｂを参考にすると、センサ部２００は、絶縁材質の射出物２４０の表面に沿って電極がストライプ構造に形成される。すなわち、図８ａ及び図８ｂの実施の形態では、基準電極２２０とセンサ電極２１０が、いずれも、円柱状のセンサ部２００の外周面に沿って周方向に延びるリング状のストライプ電極（ｓｔｒｉｐｅ  ｅｌｅｃｔｒｏｄｅ）から構成されている。そして、３個のストライプ電極のうち、中央に位置する電極が基準電極２２０として構成され、基準電極２２０の両側（根元側及び先端側）に第１センサ電極２１０−１と第２センサ電極２１０−２とが配置される。このとき、第１センサ電極２１０−１と第２センサ電極２１０−２とは、基準電極２２０に対して同じ間隔に離隔配置される。ここで、温度電極２３０は、図８ａのように射出物２４０の先端部から外部に突き出して露出するように形成されるか、図８ｂのように射出物２４０の内部に内蔵されることができる。
【００４６】
そして、図９を参考すると、センサ部２００は、絶縁材質の射出物２４０の表面においてスポット構造から形成される。すなわち、図９の実施の形態では、基準電極２２０とセンサ電極２１０とが、いずれも、スポット電極（ｓｐｏｔ  ｅｌｅｃｔｒｏｄｅ）から構成されており、中央に位置する電極が基準電極２２０として構成され、基準電極２２０の両側に第１センサ電極２１０−１と第２センサ電極２１０−２とが配置される。また、温度電極も射出物２４０の先端部から外部に突き出して露出するように形成されるか、または射出物２４０の内部に内蔵されることができる。
【００４７】
また、センサ部２００の電極は、ストライプ電極とスポット電極とが混合される構造も可能であるはずである。
【００４８】
そして、本発明の実施の形態においてセンサ部２００は、測定水に浸漬されて測定するバー状をなすと説明したが、収容凹部の内部に一定量の測定水を収容して測定がなされるスプーンの形状をなすことも可能である。
【００４９】
以上、本発明において実施の形態を参考して説明されたが、本技術分野における通常の知識を有した者であれば、これから多様な変形及び均等な他の実施の形態が可能であるという点を理解すべきである。特に、本発明の携帯用水質測定装置に対する説明において塩度測定装置を例としたが、前記のような構成は、塩度の他にも測定対象物のｐＨ、ＥＣまたはＴＤＣなど多様な特性を測定するための携帯用水質測定装置に適用されることができる。
【符号の説明】
【００５０】
１００      ハウジング
２００      センサ部
２１０      センサ電極
２２０      基準電極
２３０      温度電極
３００      表示部
４００      操作部
【図１】
0006356196.tif 000002
【図２】
0006356196.tif 000003
【図３】
0006356196.tif 000004
【図４】
0006356196.tif 000005
【図５】
0006356196.tif 000006
【図６】
0006356196.tif 000007
【図７ａ】
0006356196.tif 000008
【図７ｂ】
0006356196.tif 000009
【図８ａ】
0006356196.tif 000010
【図８ｂ】
0006356196.tif 000011
【図９】
0006356196.tif 000012